(57)【特許請求の範囲】
【請求項１】
表示画面を有した表示装置と、
前記表示装置の前記表示画面に沿う第一方向に位置された第一壁を有し、前記表示装置を収容した筐体と、
前記表示装置と前記第一壁との間に介在し、前記表示装置を弾性的に支持する弾性体と、
を備え、
前記弾性体は、
前記表示装置と面し、前記第一方向と交差した第二方向から見た場合に前記表示装置側に凸となる弧状に構成された第一接触面と、
前記第一接触面の前記第一方向に位置され、前記筐体内のケーブルを前記第一壁との間に挟むように保持可能な第一ケーブル保持部と、
を有し、
前記第一ケーブル保持部には、前記第一壁に向かって部分的に突出し前記ケーブルと接触した突出部が設けられ、
前記弾性体には、前記第一方向において前記第一接触面と並び前記第二方向において前記突出部と並ぶ開口部が設けられた、電子機器。
【請求項２】
表示画面を有した表示装置と、
前記表示装置の前記表示画面に沿う第一方向に位置された第一壁を有し、前記表示装置を収容した筐体と、
前記表示装置と前記第一壁との間に介在し、前記表示装置を弾性的に支持する弾性体と、
を備え、
前記弾性体は、
前記表示装置と面し、前記第一方向と交差した第二方向から見た場合に前記表示装置側に凸となる弧状に構成された第一接触面と、
前記第一接触面を有した第一部分と、
前記表示装置と前記筐体における前記第一壁と交差した第二壁との間に介在し、前記表示装置を弾性的に支持する第二部分と、
前記第一部分と前記第二部分とを前記表示装置の周囲を覆うように接続した第三部分と、
を有し、
前記第二部分は、前記筐体内のケーブルを挟む一対の側面を有したケーブル保持部を有し、
前記一対の側面に複数の突起が設けられた、電子機器。
【請求項３】
表示画面を有した表示装置と、
前記表示装置の前記表示画面に沿う第一方向に位置された第一壁を有し、前記表示装置を収容した筐体と、
前記表示装置と前記第一壁との間に介在し、前記表示装置を弾性的に支持する弾性体と、
を備え、
前記弾性体は、
前記表示装置と面し、前記第一方向と交差した第二方向から見た場合に前記表示装置側に凸となる弧状に構成された第一接触面と、
前記第一接触面を有した第一部分と、
前記表示装置と前記筐体における前記第一壁と交差した第二壁との間に介在し、前記表示装置を弾性的に支持する第二部分と、
前記第一部分と前記第二部分とを前記表示装置の周囲を覆うように接続した第三部分と、
を有し、
前記第二部分は、前記筐体内のケーブルを保持可能なケーブル保持部を有し、
前記第二部分には、前記筐体に設けられたリブと係合可能な凹部が設けられた、電子機器。
【請求項４】
前記弾性体には、前記第一方向において前記第一接触面と並んだ開口部が設けられた、請求項２または３に記載の電子機器。
【請求項５】
前記開口部は、前記第一方向に互いに対向した一対の内面を有し、
前記一対の内面のうち少なくとも一方は、前記第二方向から見た場合に他方側に凸となる弧状に構成された、請求項１または４に記載の電子機器。
【請求項６】
前記弾性体は、前記第一接触面の前記第一方向に位置され、前記筐体内のケーブルを前記第一壁との間に挟むように保持可能な第一ケーブル保持部を有した、請求項２〜４のうちいずれか一つに記載の電子機器。
【請求項７】
前記第一ケーブル保持部には、前記第一壁に向かって部分的に突出した突出部が設けられた、請求項６に記載の電子機器。
【請求項８】
前記弾性体は、
少なくとも前記第一接触面を有した第一部分と、
前記表示装置と前記筐体における前記第一壁と交差した第二壁との間に介在し、前記表示装置を弾性的に支持する第二部分と、
前記第一部分と前記第二部分とを前記表示装置の周囲を覆うように接続した第三部分と、
を有した、請求項１に記載の電子機器。
【請求項９】
前記第二部分は、前記筐体内のケーブルを保持可能な第二ケーブル保持部を有した、請求項８に記載の電子機器。
【請求項１０】
表示画面を有した表示装置と、前記表示装置の前記表示画面に沿う第一方向に位置された筐体の第一壁との間に介在し、前記表示装置を弾性的に支持する弾性体であって、
前記表示装置と面し、前記第一方向と交差した第二方向から見た場合に前記表示装置側に凸となる弧状に構成された第一接触面と、
前記第一接触面の前記第一方向に位置され、前記筐体内のケーブルを前記第一壁との間に挟むように保持可能な第一ケーブル保持部と、
を有し、
前記第一ケーブル保持部には、前記第一壁に向かって部分的に突出し前記ケーブルと接触した突出部が設けられ、
前記弾性体には、前記第一方向において前記第一接触面と並び前記第二方向において前記突出部と並ぶ開口部が設けられた、弾性体。
【請求項１１】
表示画面を有した表示装置と、前記表示装置の前記表示画面に沿う第一方向に位置された筐体の第一壁との間に介在し、前記表示装置を弾性的に支持する弾性体であって、
前記表示装置と面し、前記第一方向と交差した第二方向から見た場合に前記表示装置側に凸となる弧状に構成された第一接触面と、
前記第一接触面を有した第一部分と、
前記表示装置と前記筐体における前記第一壁と交差した第二壁との間に介在し、前記表示装置を弾性的に支持する第二部分と、
前記第一部分と前記第二部分とを前記表示装置の周囲を覆うように接続した第三部分と、
を有し、
前記第二部分は、前記筐体内のケーブルを挟む一対の側面を有したケーブル保持部を有し、
前記一対の側面に複数の突起が設けられた、弾性体。
【請求項１２】
表示画面を有した表示装置と、前記表示装置の前記表示画面に沿う第一方向に位置された筐体の第一壁との間に介在し、前記表示装置を弾性的に支持する弾性体であって、
前記表示装置と面し、前記第一方向と交差した第二方向から見た場合に前記表示装置側に凸となる弧状に構成された第一接触面と、
前記第一接触面を有した第一部分と、
前記表示装置と前記筐体における前記第一壁と交差した第二壁との間に介在し、前記表示装置を弾性的に支持する第二部分と、
前記第一部分と前記第二部分とを前記表示装置の周囲を覆うように接続した第三部分と、
を有し、
前記第二部分は、前記筐体内のケーブルを保持可能なケーブル保持部を有し、
前記第二部分には、前記筐体に設けられたリブと係合可能な凹部が設けられた、弾性体。
【発明の詳細な説明】
【技術分野】
【０００１】
本発明は、電子機器および弾性体に関する。
【背景技術】
【０００２】
従来、表示装置と、表示装置の側方に位置された第一壁（リブ）を有し表示装置を収容した筐体と、表示装置と第一壁との間に介在し表示装置を弾性的に支持する弾性体と、を備えた電子機器が、知られている（例えば、特許文献１参照）。
【先行技術文献】
【特許文献】
【０００３】
【特許文献１】特開２０１８−１０９９１４号公報
【発明の概要】
【発明が解決しようとする課題】
【０００４】
この種の電子機器では、例えば、表示装置や、筐体、弾性体等の製造ばらつき（寸法公差）によって生じる組付性の悪化や弾性体の圧縮反力の増大等を抑制できる新規な構成が得られれば、有益である。
【０００５】
そこで、本発明の課題の一つは、組付性の悪化や弾性体の圧縮反力の増大等を抑制できる新規な構成の電子機器および弾性体を得ることである。
【課題を解決するための手段】
【０００６】
本発明の第一態様にかかる電子機器は、表示画面を有した表示装置と、前記表示装置の前記表示画面に沿う第一方向に位置された第一壁を有し、前記表示装置を収容した筐体と、前記表示装置と前記第一壁との間に介在し、前記表示装置を弾性的に支持する弾性体と、を備え、前記弾性体は、前記表示装置と面し、前記第一方向と交差した第二方向から見た場合に前記表示装置側に凸となる弧状に構成された第一接触面と、前記第一接触面の前記第一方向に位置され、前記筐体内のケーブルを前記第一壁との間に挟むように保持可能な第一ケーブル保持部と、を有し、前記第一ケーブル保持部には、前記第一壁に向かって部分的に突出し前記ケーブルと接触した突出部が設けられ、前記弾性体には、前記第一方向において前記第一接触面と並び前記第二方向において前記突出部と並ぶ開口部が設けられる。
本発明の第二態様にかかる電子機器は、表示画面を有した表示装置と、前記表示装置の前記表示画面に沿う第一方向に位置された第一壁を有し、前記表示装置を収容した筐体と、前記表示装置と前記第一壁との間に介在し、前記表示装置を弾性的に支持する弾性体と、を備え、前記弾性体は、前記表示装置と面し、前記第一方向と交差した第二方向から見た場合に前記表示装置側に凸となる弧状に構成された第一接触面と、前記第一接触面を有した第一部分と、前記表示装置と前記筐体における前記第一壁と交差した第二壁との間に介在し、前記表示装置を弾性的に支持する第二部分と、前記第一部分と前記第二部分とを前記表示装置の周囲を覆うように接続した第三部分と、を有し、前記第二部分は、前記筐体内のケーブルを挟む一対の側面を有したケーブル保持部を有し、前記一対の側面に複数の突起が設けられる。
本発明の第三態様にかかる電子機器は、表示画面を有した表示装置と、前記表示装置の前記表示画面に沿う第一方向に位置された第一壁を有し、前記表示装置を収容した筐体と、前記表示装置と前記第一壁との間に介在し、前記表示装置を弾性的に支持する弾性体と、を備え、前記弾性体は、前記表示装置と面し、前記第一方向と交差した第二方向から見た場合に前記表示装置側に凸となる弧状に構成された第一接触面と、前記第一接触面を有した第一部分と、前記表示装置と前記筐体における前記第一壁と交差した第二壁との間に介在し、前記表示装置を弾性的に支持する第二部分と、前記第一部分と前記第二部分とを前記表示装置の周囲を覆うように接続した第三部分と、を有し、前記第二部分は、前記筐体内のケーブルを保持可能なケーブル保持部を有し、前記第二部分には、前記筐体に設けられたリブと係合可能な凹部が設けられる。
【０００８】
また、前記弾性体には、前記第一方向において前記第一接触面と並んだ開口部が設けられる。
【０００９】
また、前記第一開口部は、前記第一方向に互いに対向した一対の内面を有し、前記一対の内面のうち少なくとも一方は、前記第二方向から見た場合に他方側に凸となる弧状に構成される。
【００１０】
また、前記弾性体は、前記第一接触面の前記第一方向に位置され、前記筐体内のケーブルを前記第一壁との間に挟むように保持可能な第一ケーブル保持部を有する。
【００１１】
また、前記第一ケーブル保持部には、前記第一壁に向かって部分的に突出した突出部が設けられる。
【００１２】
また、前記弾性体は、少なくとも前記第一接触面を有した第一部分と、前記表示装置と前記筐体における前記第一壁と交差した第二壁との間に介在し、前記表示装置を弾性的に支持する第二部分と、前記第一部分と前記第二部分とを前記表示装置の周囲を覆うように接続した第三部分と、を有している。
【００１３】
また、前記第二部分は、前記筐体内のケーブルを保持可能な第二ケーブル保持部を有する。
【００１４】
また、本発明の第四態様にかかる弾性体は、表示画面を有した表示装置と、前記表示装置の前記表示画面に沿う第一方向に位置された筐体の第一壁との間に介在し、前記表示装置を弾性的に支持する弾性体であって、前記表示装置と面し、前記第一方向と交差した第二方向から見た場合に前記表示装置側に凸となる弧状に構成された第一接触面と、前記第一接触面の前記第一方向に位置され、前記筐体内のケーブルを前記第一壁との間に挟むように保持可能な第一ケーブル保持部と、を有し、前記第一ケーブル保持部には、前記第一壁に向かって部分的に突出し前記ケーブルと接触した突出部が設けられ、前記弾性体には、前記第一方向において前記第一接触面と並び前記第二方向において前記突出部と並ぶ開口部が設けられる。
また、本発明の第五態様にかかる弾性体は、表示画面を有した表示装置と、前記表示装置の前記表示画面に沿う第一方向に位置された筐体の第一壁との間に介在し、前記表示装置を弾性的に支持する弾性体であって、前記表示装置と面し、前記第一方向と交差した第二方向から見た場合に前記表示装置側に凸となる弧状に構成された第一接触面と、前記第一接触面を有した第一部分と、前記表示装置と前記筐体における前記第一壁と交差した第二壁との間に介在し、前記表示装置を弾性的に支持する第二部分と、前記第一部分と前記第二部分とを前記表示装置の周囲を覆うように接続した第三部分と、を有し、前記第二部分は、前記筐体内のケーブルを挟む一対の側面を有したケーブル保持部を有し、前記一対の側面に複数の突起が設けられる。
また、本発明の第六態様にかかる弾性体は、表示画面を有した表示装置と、前記表示装置の前記表示画面に沿う第一方向に位置された筐体の第一壁との間に介在し、前記表示装置を弾性的に支持する弾性体であって、前記表示装置と面し、前記第一方向と交差した第二方向から見た場合に前記表示装置側に凸となる弧状に構成された第一接触面と、前記第一接触面を有した第一部分と、前記表示装置と前記筐体における前記第一壁と交差した第二壁との間に介在し、前記表示装置を弾性的に支持する第二部分と、前記第一部分と前記第二部分とを前記表示装置の周囲を覆うように接続した第三部分と、を有し、前記第二部分は、前記筐体内のケーブルを保持可能なケーブル保持部を有し、前記第二部分には、前記筐体に設けられたリブと係合可能な凹部が設けられる。
【発明の効果】
【００１５】
本発明の上記態様によれば、表示装置や、筐体、弾性体等の製造ばらつき（寸法公差）によって生じる組付性の悪化や弾性体の圧縮反力の増大等を抑制できる新規な構成の電子機器および弾性体を得ることができる。
【図面の簡単な説明】
【００１６】
【図１】図１は、実施形態の電子機器の例示的な斜視図であって、ディスプレイ筐体が展開位置に位置された状態の図である。
【図２】図２は、図１の角部の近傍のフロントカバーおよびパネルが取り外された状態の斜視図である。
【図３】図３は、図２の弾性体の拡大図である。
【図４】図４は、実施形態の弾性体の正面側からの例示的な斜視図であって、図３とは異なる角度から見た図である。
【図５】図５は、実施形態の弾性体の背面側からの例示的な斜視図である。
【図６】図６は、実施形態の弾性体の例示的な断面図である。
【図７】図７は、図８の表示装置が取り付けられる前の状態の断面図である。
【図８】図８は、図２のVIII−VIII断面図である。
【図９】図９は、図２のIX−IX断面図である。
【発明を実施するための形態】
【００１７】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１８】
なお、本明細書では、序数は、部品や、部材、部位、位置、方向等を区別するためだけに用いられており、順番や優先度を示すものではない。
【００１９】
［実施形態］
図１は、実施形態の電子機器１の斜視図であって、ディスプレイ筐体３が展開位置Ｐ１に位置された状態の図である。なお、以下の説明では、互いに直交する三方向が定義されている。Ｘ方向は、電子機器１（ベース筐体２）の奥行方向（前後方向）に沿い、Ｙ方向は、電子機器１の幅方向（左右方向）に沿い、Ｚ方向は、電子機器１の厚さ方向（上下方向）に沿う。また、以下の説明では、便宜上、Ｘ方向は後方、Ｘ方向の反対方向は前方と称され、Ｙ方向は左方、Ｙ方向の反対方向は右方と称され、Ｚ方向は上方、Ｚ方向の反対方向は下方と称される場合がある。
【００２０】
図１に示されるように、電子機器１は、例えば、ノートブック型（クラムシェル型）のパーソナルコンピュータとして構成されており、ベース筐体２と、ディスプレイ筐体３と、を備えている。ベース筐体２には、キーボード４（入力装置）や、不図示の基板等が収容され、ディスプレイ筐体３には、表示装置６や、不図示のアンテナ、後述する弾性体１０（図２参照）等が収容されている。
【００２１】
ディスプレイ筐体３は、筐体の一例である。なお、電子機器１は、この例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機等であってもよい。
【００２２】
ベース筐体２は、例えば、キーボード４が露出する上面２ａ１と、上面２ａ１とは反対側を向いた下面２ｂ１と、を有する。キーボード４は、上方から操作可能な状態に、ベース筐体２に支持されている。また、ベース筐体２内には、ＣＰＵ（Central  Processing  Unit）や、ＲＯＭ（Read  Only  Memory）、ＲＡＭ（Random  Access  Memory）等の複数の電子部品が実装された基板が設けられている。基板内の配線とこれら複数の電子部品とによって、電子機器１の制御回路の少なくとも一部が構成されている。
【００２３】
ベース筐体２は、例えば、Ｚ方向に扁平な直方体状の箱型に構成されている。ベース筐体２は、上壁２ａや、下壁２ｂ、前壁２ｃ、左壁２ｄ、後壁２ｅ、右壁２ｆ等の複数の壁部を有している。前壁２ｃ、左壁２ｄ、後壁２ｅ、および右壁２ｆは、側壁や、周壁、立壁等とも称される。
【００２４】
上壁２ａおよび下壁２ｂは、いずれも、Ｚ方向と直交する方向（ＸＹ平面）に沿って延びており、Ｚ方向に間隔をあけて互いに平行に設けられている。上壁２ａは、上面２ａ１を含み、下壁２ｂは、下面２ｂ１を含む。上壁２ａは、ベース筐体２の上端部を構成し、下壁２ｂは、ベース筐体２の下端部を構成している。なお、下壁２ｂには、ベース筐体２を不図示の載置部から離間した状態に支持する複数のゴム脚が設けられうる。
【００２５】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、ベース筐体２の前端部２ｈを構成し、後壁２ｅは、ベース筐体２の後端部２ｊを構成している。後端部２ｊは、ヒンジ７の回転中心Ａｘ１と隣接（近接）している。前端部２ｈは、後端部２ｊよりもヒンジ７の回転中心Ａｘ１と離間している。
【００２６】
左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、上壁２ａおよび下壁２ｂのＹ方向の端部の間に亘り、右壁２ｆは、上壁２ａおよび下壁２ｂのＹ方向の反対方向の端部の間に亘っている。左壁２ｄは、ベース筐体２の左端部２ｉを構成し、右壁２ｆは、ベース筐体２の右端部２ｋを構成している。
【００２７】
また、ベース筐体２は、例えば、トップカバー２１や、ボトムカバー２２等の複数の部品（分割体）の組み合わせによって構成されている。トップカバー２１は、上壁２ａと、前壁２ｃ、左壁２ｄ、後壁２ｅ、および右壁２ｆのそれぞれの一部と、を含む。ボトムカバー２２は、下壁２ｂと、前壁２ｃ、左壁２ｄ、後壁２ｅ、および右壁２ｆのそれぞれの一部と、を含む。トップカバー２１とボトムカバー２２とは、例えば、爪やネジ等の結合具によって互いに結合されている。
【００２８】
ディスプレイ筐体３は、例えば、表示装置６の表示画面６ａが露出する前面３ａ１と、前面３ａ１とは反対側を向いた後面３ｂ１（図８参照）と、を有する。表示装置６は、表示画面６ａが前方から視認可能な状態に、ディスプレイ筐体３に支持されている。また、前面３ａ１の一部および表示画面６ａは、図１に示されるパネル９の透明部によって覆われている。パネル９は、例えば、タッチパネル等である。
【００２９】
ディスプレイ筐体３は、ベース筐体２にＹ方向に沿って延びる回転中心Ａｘ１（回転軸）を有したヒンジ７を介して回転可能に支持されている。ディスプレイ筐体３は、ヒンジ７の回転中心Ａｘ１回りに回転することで、少なくとも、展開位置Ｐ１と、不図示の閉位置と、の間で移動可能である。
【００３０】
ディスプレイ筐体３が閉位置に位置された状態では、ベース筐体２の上面２ａ１とディスプレイ筐体３の前面３ａ１とが対向する。よって、閉位置では、キーボード４や、パームレスト８、表示画面６ａ等は、ベース筐体２およびディスプレイ筐体３によって隠れるため、操作不能である。
【００３１】
一方、ディスプレイ筐体３が展開位置Ｐ１に位置された状態では、ベース筐体の上面２ａ１とディスプレイ筐体３の前面３ａ１とが対向せず、キーボード４や、パームレスト８、表示画面６ａ等が露出する。展開位置Ｐ１では、所謂ノートブックモードとして使用され、ベース筐体２が不図示の机や台等の載置部に載せられた状態でキーボード４によって操作が行われる。
【００３２】
ディスプレイ筐体３は、例えば、一方向（図２および図８のＤ１方向）に扁平な直方体状に構成されている。ディスプレイ筐体３は、前壁３ａや、後壁３ｂ、下壁３ｃ、左壁３ｄ、上壁３ｅ、右壁３ｆ等の複数の壁部を有している。前壁３ａは、前面３ａ１を含み、後壁３ｂは、後面３ｂ１を含む。前壁３ａは、四角形状の枠状に構成され、後壁３ｂは、四角形状の板状に構成されている。
【００３３】
左壁３ｄは、前壁３ａおよび後壁３ｂのＹ方向の端部の間に亘り、右壁３ｆは、前壁３ａおよび後壁３ｂのＹ方向の反対方向の端部の間に亘っている。左壁３ｄは、ディスプレイ筐体３の左端部３ｉを構成し、右壁３ｆは、ディスプレイ筐体３の右端部３ｋを構成している。左壁３ｄ、右壁３ｆ、下壁３ｃ、および上壁３ｅは、側壁や、周壁、立壁等とも称される。
【００３４】
また、上壁３ｅは、ディスプレイ筐体３の上端部３ｊを構成し、下壁３ｃは、ディスプレイ筐体３の下端部３ｈを構成している。下端部３ｈは、ヒンジ７の回転中心Ａｘ１と隣接（近接）している。上端部３ｊは、下端部３ｈよりもヒンジ７の回転中心Ａｘ１と離間している。
【００３５】
また、ディスプレイ筐体３には、四つの角部３ｍ〜３ｐが設けられている。角部３ｍは、左端部３ｉと上端部３ｊとの交差部によって構成され、角部３ｎは、上端部３ｊと右端部３ｋとの交差部によって構成されている。また、角部３ｏは、右端部３ｋと下端部３ｈとの交差部によって構成され、角部３ｐは、下端部３ｈと左端部３ｉとの交差部によって構成されている。各角部３ｍ〜３ｐは、角丸（角Ｒ）状に構成されている。
【００３６】
また、ディスプレイ筐体３は、例えば、フロントカバー３１や、リヤカバー３２（図８参照）等の複数の部品（分割体）の組み合わせによって構成されている。フロントカバー３１は、前壁３ａと、下壁３ｃ、左壁３ｄ、上壁３ｅ、および右壁３ｆのそれぞれの一部と、を含む。リヤカバー３２は、後壁３ｂと、下壁３ｃ、左壁３ｄ、上壁３ｅ、および右壁３ｆのそれぞれの一部と、を含む。フロントカバー３１とリヤカバー３２とは、例えば、爪やネジ等の結合具によって互いに結合されている。
【００３７】
図２は、図１の角部３ｍの近傍のフロントカバー３１およびパネル９が取り外された状態の斜視図である。なお、以下の各図では、便宜上、ディスプレイ筐体３および弾性体１０の厚さ方向が矢印Ｄ１で示され、ディスプレイ筐体３および弾性体１０の縦幅方向が矢印Ｄ２で示される。Ｄ１方向は、ディスプレイ筐体３がベース筐体２に対して垂直な姿勢（状態）における図１のＸ方向に沿い、Ｄ２方向は、ディスプレイ筐体３がベース筐体２に対して垂直な姿勢における図１のＺ方向に沿う。
【００３８】
図２に示されるように、ディスプレイ筐体３の角部３ｍには、弾性体１０が設けられている。弾性体１０は、例えば、エラストマやゴム等によって構成され、表示装置６とディスプレイ筐体３の左壁３ｄおよび上壁３ｅとの間に介在し、表示装置６を弾性的に支持している。本実施形態では、Ｙ方向は、第一方向の一例であり、Ｄ１方向およびＤ２方向は、第二方向の一例である。また、左壁３ｄは、第一壁の一例であり、上壁３ｅは、第二壁の一例である。
【００３９】
また、弾性体１０には、ディスプレイ筐体３内に配索されたケーブル４０を保持可能な複数のケーブル保持部１１ｅ，１２ｅが設けられている。ケーブル４０は、例えば、上述したディスプレイ筐体３側のアンテナとベース筐体２側の基板とを電気的に接続するアンテナケーブル等である。弾性体１０は、複数のケーブル保持部１１ｅ，１２ｅによってケーブル４０を保持することにより、ケーブル４０が左壁３ｄおよび上壁３ｅと表示装置６との間の空間（配線通路）から外れるのを抑制することができる。
【００４０】
また、弾性体１０は、例えば、ディスプレイ筐体３の四つの角部３ｍ〜３ｐ（図１参照）のそれぞれに対応して設けられうる。なお、角部３ｎ，３ｏ，３ｐにおける三つの弾性体１０は、例えば、後述する角部３ｍの弾性体１０と略対称となるように構成されてもよいし、略同じに構成されてもよいし、異なる形状や大きさに構成されてもよい。弾性体１０は、クッション部材や、緩衝材、衝撃吸収材、スペーサ等とも称される。
【００４１】
次に、弾性体１０についてより詳しく説明する。図３は、図２の弾性体１０の拡大図であり、図４は、弾性体１０の正面側からの斜視図であって、図３とは異なる角度から見た図である。また、図５は、弾性体１０の背面側からの斜視図であり、図６は、弾性体１０の断面図である。図３〜図６に示されるように、弾性体１０は、例えば、第一部分１１と、第二部分１２と、第三部分１３と、を有している。
【００４２】
第一部分１１は、弾性体１０のうち表示装置６と左壁３ｄとの間に介在される部分であり、第二部分１２は、弾性体１０のうち表示装置６と上壁３ｅとの間に介在される部分である。また、第三部分１３は、弾性体１０のうち表示装置６と角部３ｍとの間に介在される部分であり、第一部分１１と第二部分１２とを表示装置６の周囲を覆うように接続している。第一部分１１および第二部分１２は、支持部や、圧縮部、直線部等とも称され、第三部分１３は、接続部や、屈曲部等とも称される。
【００４３】
第一部分１１は、例えば、一対の接触面１１ａ，１１ｂと、一対の端面１１ｃ，１１ｄと、ケーブル保持部１１ｅと、を有している。端面１１ｄは、第一部分１１のＤ１方向の面であり、端面１１ｃは、第一部分１１のＤ１方向の反対方向の面である。端面１１ｄは、ディスプレイ筐体３の前壁３ａと面し、端面１１ｃは、後壁３ｂと面する。
【００４４】
接触面１１ｂは、第一部分１１のＹ方向の面であり、左壁３ｄの内面と面する。本実施形態では、接触面１１ｂは、後述する第三部分１３の接触面１３ｂおよび第二部分１２の接触面１２ｂと繋がっており、これら接触面１１ｂ〜１３ｂによって一連の弾性体１０の外側面が構成されている。
【００４５】
接触面１１ａは、第一部分１１のＹ方向の反対方向の面であり、表示装置６の端面と面する。接触面１１ａは、後述する第三部分１３の接触面１３ａおよび第二部分１２の接触面１２ａと繋がっており、これら接触面１１ａ〜１３ａによって一連の弾性体１０の内側面が構成されている。
【００４６】
ケーブル保持部１１ｅは、接触面１１ａのＹ方向に位置されている。ケーブル保持部１１ｅは、Ｄ１方向において接触面１１ｂと異なる位置に位置されている。ケーブル保持部１１ｅは、例えば、第一部分１１の端面１１ｄからＤ１方向の反対方向に凹み、かつＤ１方向およびＹ方向に開放された略Ｌ字状（略Ｖ字状）の凹部である。ケーブル保持部１１ｅは、このような構成（形状）によって、ケーブル４０を左壁３ｄとの間に挟むようにして保持可能である。ケーブル保持部１１ｅは、第一ケーブル保持部の一例である。
【００４７】
また、ケーブル保持部１１ｅには、突出部１１ｆが設けられている。突出部１１ｆは、ケーブル保持部１１ｅの側面１１ｅ２から部分的にＹ方向に突出している。突出部１１ｆの先端と左壁３ｄとの間のＹ方向の開口幅は、ケーブル４０の直径と略同じである。本実施形態では、このように突出部１１ｆが部分的に設けられることによって、ケーブル保持部１１ｅへのケーブル４０の挿入性や組付性が高められている。
【００４８】
また、ケーブル保持部１１ｅの底面１１ｅ１には、開口部１１ｇが設けられている。開口部１１ｇは、例えば、第一部分１１をＤ１方向に貫通するとともに、Ｄ２方向に延びた長穴である。開口部１１ｇは、接触面１１ａとＹ方向に並んで位置されている。また、開口部１１ｇは、突出部１１ｆとＤ１方向に重なって位置されている。
【００４９】
第二部分１２は、例えば、一対の接触面１２ａ，１２ｂと、一対の端面１２ｃ，１２ｄと、ケーブル保持部１２ｅと、を有している。端面１２ｄは、第二部分１２のＤ１方向の面であり、端面１２ｃは、第二部分１２のＤ１方向の反対方向の面である。端面１２ｄは、ディスプレイ筐体３の前壁３ａと面し、端面１２ｃは、後壁３ｂと面する。
【００５０】
接触面１２ａは、第二部分１２のＤ２方向の面であり、表示装置６の端面と面する。また、接触面１２ｂは、第二部分１２のＤ２方向の反対方向の面であり、上壁３ｅの内面と面する。接触面１２ａは、接触面１１ａ，１３ａとともに表示装置６を支持し、接触面１２ｂは、接触面１１ｂ，１３ｂとともにディスプレイ筐体３に支持される。
【００５１】
ケーブル保持部１２ｅは、例えば、第二部分１２の端面１２ｄからＤ１方向の反対方向に凹み、かつＤ１方向に開放された略Ｕ字状（略Ｃ字状）の凹部である。ケーブル保持部１２ｅは、このような構成（形状）によって、ケーブル４０をＤ２方向に対向する一対の側面１２ｅ２の間に挟むようにして保持可能である。ケーブル保持部１２ｅは、第二ケーブル保持部の一例である。
【００５２】
また、ケーブル保持部１２ｅには、複数の突起１２ｆが設けられている。突起１２ｆは、ケーブル保持部１２ｅの一対の側面１２ｅ２から互い違いにＤ２方向に沿って突出している。突起１２ｆの先端と側面１２ｅ２との間のＤ２方向の開口幅は、ケーブル４０の直径と略同じである。本実施形態では、このように突起１２ｆが互い違いに設けられることによって、ケーブル４０の保持性が高められている。
【００５３】
また、第二部分１２の端面１２ｃには、凹部１２ｇが設けられている。凹部１２ｇは、端面１２ｃからＤ１方向に凹むとともに、Ｙ方向に延びている。凹部１２ｇは、例えば、ディスプレイ筐体３の後壁３ｂに設けられた不図示のリブと係合（嵌合）可能である。これにより、後壁３ｂに沿ったＹ方向およびＤ２方向への弾性体１０の移動が制限される。凹部１２ｇおよびリブは、位置決め部の一例である。
【００５４】
第三部分１３は、例えば、一対の接触面１３ａ，１３ｂと、一対の端面１３ｃ，１３ｄと、を有している。接触面１３ａは、第三部分１３の内側の面であり、表示装置６の角部と面する。また、接触面１３ｂは、第三部分１３の外側の面であり、角部３ｍの内面と面する。
【００５５】
端面１３ｄは、第三部分１３のＤ１方向の面であり、端面１３ｃは、第三部分１３のＤ１方向の反対方向の面である。本実施形態では、端面１３ｄは、ケーブル保持部１１ｅの底面１１ｅ１およびケーブル保持部１２ｅの底面１２ｅ１と繋がっており、これら底面１１ｅ１，１２ｅ１とともに一連のケーブル保持面を構成している。言い換えると、端面１３ｄは、第一部分１１の端面１１ｄおよび第二部分１２の端面１２ｄに対してＤ１方向の反対方向に凹んでいる。
【００５６】
また、接触面１３ａの角部には、溝部１３ｅが設けられている。溝部１３ｅは、接触面１３ａから外側、すなわち接触面１３ｂ側に凹むとともに、第三部分１３をＤ１方向に貫通している。溝部１３ｅは、例えば、表示装置６の角部を収容可能であり、当該角部の逃げ溝として機能する。
【００５７】
ここで、本実施形態では、上述した複数の接触面１１ａ，１１ｂ，１２ａ，１２ｂ，１３ａ，１３ｂのうち少なくとも接触面１１ａは、Ｄ１方向から見た場合（図６参照）に、表示装置６側に凸となる弧状に構成されている。これにより、例えば、弾性体１０の内側への表示装置６の挿入性や組付性が高められている。接触面１１ａは、第一接触面の一例である。
【００５８】
なお、接触面１１ａは、例えば、弾性体１０の少なくとも自由状態において表示装置６側に凸となる弧状に構成されていればよい。言い換えると、接触面１１ａは、弾性体１０の圧縮状態において略平坦状に弾性変形するように構成されてもよい。弧状は、円弧状や、弓形状等とも称される。
【００５９】
また、弾性体１０は、この例には限定されず、例えば、接触面１１ｂがＤ１方向から見た場合に左壁３ｄ側に凸となる弧状に構成されてもよいし、接触面１１ａ，１１ｂの双方が弧状に構成されてもよい。接触面１１ｂは、第二接触面の一例である。また、弾性体１０は、例えば、接触面１２ａ，１２ｂがＤ１方向から見た場合に弧状となるように構成されてもよい。
【００６０】
また、本実施形態では、開口部１１ｇのＹ方向に互いに対向する一対の内面１１ｇ１のうち少なくとも一方についても、Ｄ１方向から見た場合に他方側に凸となる弧状に構成されている。本実施形態では、一方の内面１１ｇ１は、弾性体１０の少なくとも自由状態においては、他方の内面１１ｇ１に対して離間している。なお、弾性体１０は、この例には限定されず、例えば、一対の内面１１ｇ１のそれぞれが弧状に構成されてもよい。
【００６１】
次に、弾性体１０および表示装置６の組付方法について説明する。図７は、図８の表示装置６が取り付けられる前の状態の断面図であり、図８は、図２のVIII−VIII断面図であり、図９は、図２のIX−IX断面図である。なお、図７〜図９に示されるように、表示装置６とディスプレイ筐体３の後壁３ｂとの間には、表示装置６をＤ１方向に弾性的に支持する弾性体５０が設けられうる。
【００６２】
図７に示されるように、まず、弾性体１０，５０をディスプレイ筐体３の角部３ｍに取り付ける。この場合、例えば、上述した弾性体１０の凹部１２ｇをＤ１方向から後壁３ｂに設けられうる不図示のリブに近づけて凹部１２ｇ内に挿入する。これにより、弾性体１０がディスプレイ筐体３に対して位置決めされて、弾性体１０の後壁３ｂに沿った移動が制限される。
【００６３】
次に、ケーブル４０をＤ１方向からケーブル保持部１１ｅに近づけて突出部１１ｆと左壁３ｄとの間に挿入するとともに、ケーブル４０をＤ１方向からケーブル保持部１２ｅ（図９参照）に近づけて突起１２ｆと側面１２ｅ２との間に挿入する。これにより、ケーブル４０が突出部１１ｆと左壁３ｄとの間および突起１２ｆと側面１２ｅ２との間に保持される。
【００６４】
次に、図８に示されるように、表示装置６を弾性体１０の内側に取り付ける。この時、表示装置６によって接触面１１ａひいては第一部分１１がＹ方向に圧縮されることによって、ケーブル４０が突出部１１ｆと左壁３ｄとの間でより強固に保持される。また、図９に示されるように、表示装置６によって接触面１２ａひいては第二部分１２がＤ２方向に圧縮されることによって、ケーブル４０が突起１２ｆと側面１２ｅ２との間でより強固に保持される。
【００６５】
なお、第一部分１１の接触面１１ａは、この例には限定されず、例えば、Ｄ２方向から見た場合（図７および図８参照）に表示装置６側に凸となる弧状に構成されてもよいし、Ｄ１方向から見た場合とＤ２方向から見た場合との双方で弧状となるように構成されてもよい。これにより、弾性体１０の内側への表示装置６の挿入性や組付性がより向上しうる。Ｄ２方向は、第三方向等とも称される。
【００６６】
以上のように、本実施形態では、弾性体１０は、表示装置６と面し、Ｙ方向（第一方向）と交差したＤ１方向またはＤ２方向（第二方向）から見た場合に表示装置６側に凸となる弧状に構成された接触面１１ａ（第一接触面）と、ディスプレイ筐体３（筐体）の左壁３ｄ（第一壁）と面し、Ｄ１方向またはＤ２方向から見た場合に左壁３ｄ側に凸となる弧状に構成された接触面１１ｂ（第二接触面）と、のうち少なくとも一方を有している。
【００６７】
このような構成によれば、例えば、接触面１１ａ，１１ｂが平坦状に構成された場合と比べて、接触面１１ａ，１１ｂと表示装置６または左壁３ｄとの接触面積が減ったり、弾性体１０の断面係数（断面二次モーメント）が減ったりすること等によって、接触面１１ａ，１１ｂひいては弾性体１０がＹ方向に圧縮されやすくなる。その結果、例えば、表示装置６や、ディスプレイ筐体３、弾性体１０等の製造ばらつき（寸法交差）によって生じる組付性の悪化や弾性体１０の圧縮反力の増大等が抑制され、ひいては表示装置６の組付時に生じる液晶割れ等の不都合を抑制することができる。
【００６８】
また、本実施形態では、少なくとも一方は、接触面１１ａである。
【００６９】
このような構成によれば、接触面１１ａによって表示装置６との接触面積（接触点）を減らすことができるため、例えば、弾性体１０が取り付けられた状態のディスプレイ筐体３に表示装置６を組み付けるような場合に組付性がより向上しやすい。
【００７０】
また、本実施形態では、弾性体１０には、Ｙ方向において接触面１１ａと並んだ開口部１１ｇが設けられている。
【００７１】
このような構成によれば、例えば、開口部１１ｇによって接触面１１ａひいては弾性体１０がＹ方向により圧縮されやすくなるため、表示装置６の組付性の悪化や弾性体１０の圧縮反力の増大等がより抑制されやすい。
【００７２】
また、本実施形態では、開口部１１ｇは、Ｙ方向に互いに対向した一対の内面１１ｇ１を有し、一対の内面１１ｇ１のうち少なくとも一方は、Ｄ１方向またはＤ２方向から見た場合に他方側に凸となる弧状に構成されている。
【００７３】
このような構成によれば、例えば、一対の内面１１ｇ１の当接によって、接触面１１ａひいては弾性体１０のＹ方向の圧縮量や変形量等を制限することができる。その結果、例えば、表示装置６のディスプレイ筐体３への組付状態において、表示装置６がディスプレイ筐体３に入力された外力等によって弾性体１０に対して不用意に動いたりするのを抑制することができる。
【００７４】
また、本実施形態では、弾性体１０は、接触面１１ａのＹ方向に位置され、ディスプレイ筐体３内のケーブル４０を左壁３ｄとの間に挟むように保持可能なケーブル保持部１１ｅ（第一ケーブル保持部）を有している。
【００７５】
このような構成によれば、例えば、表示装置６の組付けに伴う接触面１１ａひいてはケーブル保持部１１ｅのＹ方向の弾性変形を利用して、ケーブル４０をより強固に保持することができる。
【００７６】
また、本実施形態では、ケーブル保持部１１ｅには、左壁３ｄに向かって部分的に突出した突出部１１ｆが設けられている。
【００７７】
このような構成によれば、例えば、突出部１１ｆがケーブル保持部１１ｅの全体的に設けられた場合と比べて、ケーブル保持部１１ｅ（凹部）へのケーブル４０の挿入性や組付性等がより向上しやすい。
【００７８】
また、本実施形態では、弾性体１０は、少なくとも接触面１１ａを有した第一部分１１と、表示装置６とディスプレイ筐体３における左壁３ｄと交差した上壁３ｅ（第二壁）との間に介在し、表示装置６を弾性的に支持する第二部分１２と、第一部分１１と第二部分１２とを表示装置６の周囲を覆うように接続した第三部分１３と、を有している。
【００７９】
このような構成によれば、例えば、第一部分１１、第二部分１２、および第三部分１３によって、表示装置６の角部を弾性的に支持したり保護したりすることのできる弾性体１０が得られうる。また、例えば、第一部分１１と第二部分１２とが個別に設けられた場合と比べて、部品点数を減らすことができる分、製造の手間やコスト等をより低くすることができる。
【００８０】
また、本実施形態では、第二部分１２は、ディスプレイ筐体３内のケーブル４０を保持可能なケーブル保持部１２ｅ（第二ケーブル保持部）を有している。
【００８１】
このような構成によれば、例えば、ケーブル保持部１２ｅによって左壁３ｄとは異なる上壁３ｅに設けられたケーブル４０を保持することができ、ひいてはケーブル４０を表示装置６の周縁部に沿って配索することができる。
【００８２】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８３】
１…電子機器、３…ディスプレイ筐体（筐体）、３ｄ…左壁（第一壁）、３ｅ…上壁（第二壁）、６…表示装置、６ａ…表示画面、１０…弾性体、１１…第一部分、１１ａ…接触面（第一接触面）、１１ｂ…接触面（第二接触面）、１１ｅ…ケーブル保持部（第一ケーブル保持部）、１１ｆ…突出部、１１ｇ…開口部、１１ｇ１…内面、１２…第二部分、１２ｅ…ケーブル保持部（第二ケーブル保持部）、１３…第三部分、４０…ケーブル、Ｄ１，Ｄ２…第二方向、Ｙ…第一方向。
【要約】
【課題】表示装置や、筐体、弾性体等の製造ばらつきによって生じる組付性の悪化や弾性体の圧縮反力の増大等を抑制できる新規な構成の電子機器および弾性体を得る。
【解決手段】電子機器１では、例えば、弾性体１０は、表示装置６と面し、Ｙ方向（第一方向）と交差したＤ１方向またはＤ２方向（第二方向）から見た場合に表示装置６側に凸となる弧状に構成された接触面１１ａ（第一接触面）と、ディスプレイ筐体３（筐体）の左壁３ｄ（第一壁）と面し、Ｄ１方向またはＤ２方向から見た場合に左壁３ｄ側に凸となる弧状に構成された接触面１１ｂ（第二接触面）と、のうち少なくとも一方を有する。
【選択図】図６【図１】
0006820492.tif 000002
【図２】
0006820492.tif 000003
【図３】
0006820492.tif 000004
【図４】
0006820492.tif 000005
【図５】
0006820492.tif 000006
【図６】
0006820492.tif 000007
【図７】
0006820492.tif 000008
【図８】
0006820492.tif 000009
【図９】
0006820492.tif 000010